(57)【要約】【課題】解錠コードを送受信して施錠／解錠を行い、施錠及び／又は解錠ごとに解錠コードを書き換えが可能な施錠装置を提供する。【解決手段】解錠コードを記憶する記憶手段11aと送受信を行う第一の送受信手段12，13とを有する鍵10と、解錠コードの作成及び記憶を行うマイコン21と送受信を行う第二の送受信手段22，23とを有する錠前20とを具備し、鍵10から送信された解錠コードとマイコン21に書き込まれた解錠コードとが一致しているとき錠前20の施錠／解錠するとともに、施錠及び／又は解錠の際に、マイコン21で作成した新たな解錠コードを鍵10に送信し、鍵10の記憶手段11aに書き込むことを特徴とする施錠装置。【選択図】図１
2008025329.tif 000002
【特許請求の範囲】
【請求項１】
解錠コードを記憶する記憶手段、及び解錠コードを送受信する第一の受信手段及び第一の送信手段を有する鍵と、解錠コードの作成及び記憶を行うマイコン、及び解錠コードを送受信する第二の受信手段及び第二の送信手段を有する錠前とを具備し、前記鍵の記憶手段に書き込まれた解錠コードを前記錠前に送信し、前記マイコンに書き込まれた解錠コードと照合し、両者が一致しているとき前記錠前の施錠／解錠を行うとともに、前記錠前を施錠及び／又は解錠する際に、前記マイコンで作成した新たな解錠コードを前記第二の送信手段から前記第一の受信手段に送信し、前記鍵の記憶手段に書き込むことを特徴とする施錠装置。
【請求項２】
IDコード及び解錠コードを記憶する記憶手段、及びそれらを送受信する第一の受信手段及び第一の送信手段を有する鍵と、IDコードの記憶と解錠コードの作成及び記憶とを行うマイコン、及びそれらを送受信する第二の受信手段及び第二の送信手段を有する錠前とを具備し、前記鍵の記憶手段及び前記錠前のマイコンに記憶されたIDコードを前記錠前及び前記鍵にそれぞれ送信し、前記錠前及び前記鍵のIDコードとそれぞれ一致している場合、前記鍵の記憶手段に書き込まれた解錠コードを前記錠前に送信し、前記解錠コードと前記マイコンに書き込まれた解錠コードとを照合し、両者が一致しているとき前記錠前の施錠／解錠を行うとともに、前記錠前を施錠及び／又は解錠する際に、前記マイコンで作成した新たな解錠コードを前記第二の送信手段から前記第一の受信手段に送信し、前記鍵の記憶手段に書き込むことを特徴とする施錠装置。
【請求項３】
請求項２に記載の施錠装置において、前記錠前を複数具備し、各錠前のマイコンには固有のIDコードが記憶されており、かつ前記鍵の記憶手段には前記錠前の固有のIDコードが記憶されており、もって一つの鍵で複数の錠前の施錠及び解錠が可能であることを特徴とする施錠装置。
【請求項４】
請求項２及び３に記載の施錠装置において、前記鍵を複数具備し、各鍵の記憶手段には固有のIDコードが記憶されており、かつ前記錠前のマイコンには前記鍵の固有のIDコードが記憶されており、もって一つの錠前に対して複数の鍵で施錠及び解錠が可能であることを特徴とする施錠装置。
【請求項５】
請求項１〜４のいずれかに記載の施錠装置において、前記第一の受信手段は光センサであり、前記第二の送信手段は可視光発光手段であることを特徴とする施錠装置。
【請求項６】
請求項１〜５のいずれかに記載の施錠装置において、前記第一の送信手段は送信アンテナを有し、前記第二の受信手段は受信アンテナを有することを特徴とする施錠装置。
【請求項７】
請求項１〜６のいずれかに記載の施錠装置において、前記鍵は側面に突出して一体的に設けられた凸状送信部を有し、前記凸状送信部内に前記送信アンテナが設けられており、前記錠前は前記凸状送信部が挿入可能な凹状受信部を有し、前記凹状受信部に隣接して前記受信アンテナが設けられていることを特徴とする施錠装置。
【請求項８】
請求項５〜７のいずれかに記載の施錠装置において、前記鍵から送信された解錠コードが前記マイコンに書き込まれた解錠コードと一致しているとき、前記可視光発光手段が発光することを特徴とする施錠装置。
【請求項９】
請求項７に記載の施錠装置において、前記鍵は前記凸状送信部に隣接して近接スイッチを備え、前記錠前は前記凹状受信部に隣接し、かつ前記近接スイッチに対応した位置に磁石を備えており、前記凸状送信部を前記凹状受信部に挿入すると、前記近接スイッチと前記磁石とが近接し、もって前記第一の送信手段から解錠コードが送信されることを特徴とする施錠装置。
【請求項１０】
請求項１〜９のいずれかに記載の施錠装置において、前記凹状受信部の側面にソレノイドが設けられており、かつ凸状送信部14の対応する箇所に切りかきが設けられており、もって解錠コードの通信中に、鍵10が錠前20に対して動かないようにすることを特徴とする施錠装置。
【発明の詳細な説明】
【技術分野】
【０００１】
本発明は、解錠コードを送受信する手段を有する鍵及び錠前を具備し、施錠及び／又は解錠するごとに解錠コードの書き換えを行う施錠装置に関する。
【背景技術】
【０００２】
金庫、ロッカー等における盗難を防止するために、また家屋、マンション、ホテル等への不審者の侵入を防止するために、鍵及び錠前が広く用いられている。従来は、鍵及び錠前の形状により施錠／解錠を行っていた。しかしながら、形状により施錠／解錠を行う鍵は、同一形状のものが複製されると、その複製鍵により、自由に解錠されてしまうという問題がある。
【０００３】
そこで鍵に電磁的な暗証情報を付与して、その暗証情報により、施錠／解錠する電磁式の鍵が普及し始めている。しかしながら、電磁的な暗証情報を使用する鍵であっても、その暗証情報が解読されて複製されるおそれがある。特に最近では、引っ越した者が居住中に作成した合鍵を使用して犯罪を行うケースが発生している。通常引っ越したときは、鍵は合鍵も含めて管理者に返却するが、作成された合鍵の数は居住者の自己申告によるため、その数の把握は困難であり、確実な対策としては、錠全体を交換しなければならず、そのコストが非常にかかる。
【０００４】
特開2002-206360号（特許文献１）は、真正品であることを証明する暗証情報を記憶する情報記憶部を備え、外部機器と通信して、その情報記憶部に書き込まれた暗証情報を施錠ごとに更新する鍵及び錠前システムを開示している。具体的には、鍵が鍵穴に挿入されると、錠前システムの制御コンピュータは鍵の情報記憶部に記憶されている情報を読み出し、その読み出した情報が錠前システムの暗証情報記憶部に記憶されている暗証情報と一致するか否かを判断し、一致するときのみ解錠可能となる。施錠操作が行われると、錠前システムの制御コンピュータは暗証情報を生成し、鍵の情報記憶部に記憶されている情報を生成した暗証情報で更新するとともに、暗証情報記憶部に記憶されている暗証情報を更新する。このような錠前システムでは、鍵を鍵穴に挿入して自分で回転させることが必要である。またロッカーのような複数の錠前がある場合では、自分の荷物が入っているロッカーがどれか一目で分からない。また特許文献１で開示された鍵において情報記憶部は単に記憶手段として用いられ、マイコンにより制御されたものではないため、鍵単独で暗証情報の正当性の判断やエラー訂正などを行えず、信頼性が低い。
【０００５】
また外出時に自宅、自動車、ロッカー等の複数の鍵が必要な場合があり、これらの鍵をすべて持ち歩くのは煩わしいという問題もある。
【０００６】
【特許文献１】特開2002-206360号公報
【発明の開示】
【発明が解決しようとする課題】
【０００７】
従って本発明の目的は、解錠コードを送受信して施錠／解錠を行い、施錠及び／又は解錠ごとに解錠コードを書き換えが可能な施錠装置を提供することである。
【０００８】
本発明の別の目的は、鍵が固有のIDコードを有しており、一つの錠前に対して複数の鍵で施錠／解錠が可能な施錠装置を提供することである。
【０００９】
本発明のさらに別の目的は、錠前が固有のIDコードを有しており、一つの鍵で複数の錠前に対応可能な施錠装置を提供することである。
【課題を解決するための手段】
【００１０】
上記目的に鑑み鋭意研究の結果、本発明者は、解錠コードの作成・記憶手段と解錠コードの送受信手段とを有する鍵及び錠前により、解錠コードを送受信して施錠／解錠を行い、施錠及び／又は解錠ごとに解錠コードを書き換えることにより、盗難・住居侵入等を防止することが可能な施錠装置を発見し、本発明に想到した。
【００１１】
すなわち、本発明は具体的に以下の手段により達成することができる。
(1)  解錠コードを記憶する記憶手段、及び解錠コードを送受信する第一の受信手段及び第一の送信手段を有する鍵と、解錠コードの作成及び記憶を行うマイコン、及び解錠コードを送受信する第二の受信手段及び第二の送信手段を有する錠前とを具備し、前記鍵の記憶手段に書き込まれた解錠コードを前記錠前に送信し、前記マイコンに書き込まれた解錠コードと照合し、両者が一致しているとき前記錠前の施錠／解錠を行うとともに、前記錠前を施錠及び／又は解錠する際に、前記マイコンで作成した新たな解錠コードを前記第二の送信手段から前記第一の受信手段に送信し、前記鍵の記憶手段に書き込むことを特徴とする施錠装置。
(2)  IDコード及び解錠コードを記憶する記憶手段、及びそれらを送受信する第一の受信手段及び第一の送信手段を有する鍵と、IDコードの記憶と解錠コードの作成及び記憶とを行うマイコン、及びそれらを送受信する第二の受信手段及び第二の送信手段を有する錠前とを具備し、前記鍵の記憶手段及び前記錠前のマイコンに記憶されたIDコードを前記錠前及び前記鍵にそれぞれ送信し、前記錠前及び前記鍵のIDコードとそれぞれ一致している場合、前記鍵の記憶手段に書き込まれた解錠コードを前記錠前に送信し、前記解錠コードと前記マイコンに書き込まれた解錠コードとを照合し、両者が一致しているとき前記錠前の施錠／解錠を行うとともに、前記錠前を施錠及び／又は解錠する際に、前記マイコンで作成した新たな解錠コードを前記第二の送信手段から前記第一の受信手段に送信し、前記鍵の記憶手段に書き込むことを特徴とする施錠装置。
(3)  前記(2) に記載の施錠装置において、前記錠前を複数具備し、各錠前のマイコンには固有のIDコードが記憶されており、かつ前記鍵の記憶手段には前記錠前の固有のIDコードが記憶されており、もって一つの鍵で複数の錠前の施錠及び解錠が可能であることを特徴とする施錠装置。
(4)  前記(2) 及び(3) に記載の施錠装置において、前記鍵を複数具備し、各鍵の記憶手段には固有のIDコードが記憶されており、かつ前記錠前のマイコンには前記鍵の固有のIDコードが記憶されており、もって一つの錠前に対して複数の鍵で施錠及び解錠が可能であることを特徴とする施錠装置。
(5)  前記(1)〜(4) のいずれかに記載の施錠装置において、前記第一の受信手段は光センサであり、前記第二の送信手段は可視光発光手段であることを特徴とする施錠装置。
(6)  前記(1)〜(5) のいずれかに記載の施錠装置において、前記第一の送信手段は送信アンテナを有し、前記第二の受信手段は受信アンテナを有することを特徴とする施錠装置。
(7)  前記(1)〜(6) のいずれかに記載の施錠装置において、前記鍵は側面に突出して一体的に設けられた凸状送信部を有し、前記凸状送信部内に前記送信アンテナが設けられており、前記錠前は前記凸状送信部が挿入可能な凹状受信部を有し、前記凹状受信部に隣接して前記受信アンテナが設けられていることを特徴とする施錠装置。
(8)  前記(5)〜(7) のいずれかに記載の施錠装置において、前記鍵から送信された解錠コードが前記マイコンに書き込まれた解錠コードと一致しているとき、前記可視光発光手段が発光することを特徴とする施錠装置。
(9)  前記(7) のいずれかに記載の施錠装置において、前記鍵は前記凸状送信部に隣接して近接スイッチを備え、前記錠前は前記凹状受信部に隣接し、かつ前記近接スイッチに対応した位置に磁石を備えており、前記凸状送信部を前記凹状受信部に挿入すると、前記近接スイッチと前記磁石とが近接し、もって前記第一の送信手段から解錠コードが送信されることを特徴とする施錠装置。
(10)  前記(1)〜(9) のいずれかに記載の施錠装置において、前記凹状受信部の側面にソレノイドが設けられており、かつ凸状送信部14の対応する箇所に切りかきが設けられており、もって解錠コードの通信中に、鍵10が錠前20に対して動かないようにすることを特徴とする施錠装置。
【発明の効果】
【００１２】
本発明の施錠装置では、解錠コードの作成・記憶手段と解錠コードの送受信手段とを有する鍵及び錠前により、解錠コードを送受信して施錠／解錠を行い、施錠及び／又は解錠ごとに解錠コードを書き換えることにより、盗難・住居侵入等を防止することが可能になる。
【００１３】
錠前に発光手段を設けることにより、ロッカー等の錠前が複数ある場合でも自分の場所を容易に視認することができる。また各鍵及び錠前に固有のコードを設けることで、複数の異なる錠前に対して一つの鍵で対応することができる。
【発明を実施するための最良の形態】
【００１４】
[1] 施錠装置
本発明の施錠装置を図１を用いて説明するが、本発明の施錠装置はこの形状に限定されるものではない。図１(a) は鍵10を示し、図１(b) は錠前20を示す。鍵10はマイコン11と、第一の受信手段12と、第一の送信手段13と、プッシュボタン15とを有する。第一の受信手段12、第一の送信手段13及びプッシュボタン15はそれぞれマイコン11に接続しており、マイコン11内には書き換え可能な解錠コードを記憶する記憶手段11aが設けられている。また鍵10に本体から一体的に突出した凸状送信部14が設けられており、凸状送信部14内には第一の送信手段13に接続した送信用アンテナ13aが設けられている。
【００１５】
錠前20はマイコン21と、第二の受信手段22と、第二の送信手段23と、施錠／解錠機構24とを有する。第二の受信手段22、第二の送信手段23及び施錠／解錠機構24はマイコン21に接続しており、マイコン21内には書き換え可能な解錠コードを記憶する記憶手段21aが設けられている。また錠前20には凸状送信部14が挿入可能な凹状受信部25が設けられており、凹状受信部25に隣接して第二の受信手段22に接続した受信用アンテナ22aが設けられている。鍵10の記憶手段11a及び錠前20の記憶手段21aには、施錠／解錠の対象となる鍵10及び錠前20を特定するためのIDコード（書き換え不可）をあらかじめ記憶させておいても良い。
【００１６】
鍵10のマイコン11内の記憶手段11aに書き込まれている解錠コードは、鍵10の第一の送信手段13のアンテナ13aより送信され、錠前20の第二の受信手段22のアンテナ22aにより受信される。
【００１７】
第一の受信手段12は光センサであり、鍵10の凸状送信部14が設けられている側面に設けられており、第二の送信手段23は可視光発光手段（特に可視光LEDが好ましい。）であり、錠前20の凹状受信部25が設けられている側面に設けられている。これにより、鍵10の凸状送信部14を錠前20の凹状受信部25に挿入すると、第一の受信手段12と第二の送信手段23とが近接し、錠前20のマイコン21内の記憶手段21aに書き込まれている解錠コードは、第二の送信手段23より送信され、鍵10の第一の受信手段12に解錠コードにより受信される。可視光LEDと光センサとを用いることにより、利便性が良く、低コストでの解錠コードの送信が実現できる。
【００１８】
上述したように第一の送受信手段12，13及び第二の送受信手段22，23により、電波と光通信による双方向の通信が実現し、鍵10と錠前20との間の信頼性の高いデータのやり取りが可能となる。また解錠コードの送信に可視光を用いることにより、本発明の施錠装置を特に錠前20を一箇所に設置された複数のロッカーに対して使用する場合において、第二の受信手段22が可視光を放つことで自分のロッカーがどれか一目で視認することができる。
【００１９】
解錠コードを送受信する方法としては、上述した方法の他に、電波、可視光、赤外線、音波、磁界等の広く普及している通信手段を使用することができる。また接点を介して解錠コードを送信しても良く、例えば、USBインターフェ−スによる送受信等が挙げられる。また記憶手段11aとして差込口を有するメモリーカードを使用し、メモリーカードの差込口を錠前20に挿入することによるデータ通信を行っても良い。
【００２０】
マイコン11は解錠コードの記憶及び送受信の制御を行い、マイコン21は、解錠コードの作成及び記憶、及び解錠コードの送受信及び施錠／解錠機構24の制御等を行う。解錠コードは、セキュリティの観点から施錠時の時刻、施錠回数、乱数等の組み合わせにより作成されたコードであり、適切な生成アルゴリズムを用いることにより、実用に供される有限の範囲で、一つの鍵で一度だけ使用されるコードであるのが好ましい。乱数のみを用いてコードを作成すると有限の周期で同じコードが発生してしまう場合があるが、乱数に施錠時の時刻、施錠回数等を組合せてコードを作成することにより、実質的に同じコードが作成されることはない。マイコン21内に書き込まれた解錠コードと、鍵10から送信されてきた解錠コードとが一致している場合、施錠／解錠機構24が作動し、錠前20は解錠される。マイコン21内に書き込まれた解錠コードと、鍵10から送信されてきた解錠コードとが一致していない場合、錠前20は解錠されない。
【００２１】
記憶手段11a，21aは解錠コード、IDコード等を記憶するものであり、磁性材料、光メモリ等の通常、広く普及している記憶媒体を用いることができるが、十分な情報量を保存でき、電気的に内容が書き換えられ、かつ電源を切っても内容が保持されるものであるのが好ましく、EEPROMが特に好ましい。
【００２２】
施錠／解錠機構24はマイコン21により制御されており、モータ、ソレノイド、油圧ピストン、水圧ピストン、空気圧ピストン等により、電磁的又は機械的に施錠／解錠を行うのが好ましい。
【００２３】
凹状受信部25の側面にソレノイド26が設けられており、凸状送信部14の対応する箇所に切りかき16が設けられているのが好ましい。これにより、解錠コードの通信中に、鍵10が錠前20に対して動かないようにすることができる。
【００２４】
本発明の施錠装置をドアの鍵に用いる一例を図２に示す。錠前20はドアノブ30とともにドアに設置されており、鍵10の第一の受信手段12と錠前20の第二の送信手段23とが近接するように、凸状送信部14を凹状受信部25に挿入することにより、施錠／解錠を行うことができる。
【００２５】
[2] 施錠／解錠方法
本発明の施錠装置の施錠／解錠方法を以下詳細に説明する。
【００２６】
(a) 初期状態
錠前20については、初めに使用する前に、あらかじめ解錠コードが記憶手段21aに書き込まれた状態にする。同様に鍵10については、初期状態では記憶手段11aは何も書き込まれていない空の状態であり、例えば錠前20に施錠を行うことにより、錠前20に書き込まれている解錠コードと同一の解錠コードを記憶手段11aに書き込む。
【００２７】
(b) 解錠方法
図３は、本発明の施錠装置における鍵及び錠前の解錠処理を示すフローチャートである。まず鍵10に取り付けられたプッシュボタン15を押す（工程A）。マイコン11の記憶手段11aに書き込まれている解錠コードが第一の送信手段13から送信される（工程B）。送信された解錠コードが錠前20の第二の受信手段22により受信されると、錠前20のマイコン21は受信した解錠コードとマイコン21の記憶手段21aに書き込まれている解錠コードとを照合する（工程C）。解錠コードが一致したら可視光LED23を点滅させて、錠前20が解錠の対象になっていることを示す。解錠コードのいずれかが一致していなかったら可視光LED23は点滅しない（工程D）。錠前20の凹状受信部25に鍵10の凸状送信部14を挿入する。これにより光センサ12と可視光LED23とが近接し、かつ第一の送信手段13のアンテナ13aと第二の受信手段22のアンテナ22aとが近接し、双方向通信が可能になる（工程E，F）。双方向通信を確立した後、錠前20のマイコン21により施錠／解錠機構24が作動し、錠前20は解錠状態にする（工程G）。
【００２８】
(c) 施錠方法
図４は、施錠処理を示すフローチャートである。まず鍵10の凸状送信部14を錠前20の凹状受信部25に挿入し、鍵10に取り付けられたプッシュボタン15を押す（工程A）。マイコン11の記憶手段11aに書き込まれている解錠コードが第一の送信手段13から送信され、錠前20の第二の受信手段22により受信されると、錠前20のマイコン21は受信した解錠コードとマイコン21の記憶手段21aに書き込まれている解錠コードとを照合する（工程B）。解錠コードが一致したら、マイコン21は新たな解錠コードを作成し、マイコン21内の記憶手段21aに書き込む（工程C）。新たな解錠コードは、施錠時の時刻、施錠回数、乱数等の組み合わせにより作成されたコードであり、適切な生成アルゴリズムを用いることにより、実用に供される有限の範囲で、鍵10がただ一度だけ使用するコードにすることが出来る。
【００２９】
錠前20のマイコン21内の記憶手段21aに書き込まれた新たな解錠コードは、第二の送信手段23から鍵10の第一の受信手段12に送信され、鍵10のマイコン11により記憶手段11aに書き込まれる（工程D）。記憶手段11aへの書き込みが確認された後、マイコン21は施錠／解錠機構24を作動させ、錠前20を施錠状態にする（工程E，F）。記憶手段11aへの書き込みの確認方法は特に限定されないが、例えば、記憶手段11aに書き込まれたことをマイコン11が確認すると、そのことを第一の送信手段13から第二の受信手段22を介してマイコン21に伝えるという方法が挙げられる。
【００３０】
(d) 施錠装置をロッカーに用いる場合
錠前20をロッカーに用いた場合を、図５を用いてさらに詳細に説明する。駅の構内等では、通常図４に示すように、複数のロッカーが一箇所に設置されている。このような場合、まず自分の荷物が入っているロッカーを確認してから鍵を挿入していた。本施錠装置は、ロッカーのそれぞれの錠前20に解錠コードとが書き込まれており、さらにそれぞれの錠前20に固有のIDコードが書き込まれている。初期状態の各鍵10を各錠前20に施錠等をすることにより、各錠前20の固有のIDコード及び各錠前20に書き込まれている解錠コードが各鍵10に書き込まれる。
【００３１】
IDコード及び解錠コードが書き込まれた鍵10のプッシュボタン15を押すと、第一の送信手段13から鍵10の解錠コードが送信され、鍵10のIDコードと同一のIDコードを有する錠前20の第二の受信手段22が受信する。鍵10に書き込まれた解錠コードが錠前20に書き込まれた解錠コードと一致していたとき、錠前20の可視光LED23が光り、それにより鍵10の所有者は自分のロッカーの場所を視認することができる。
【００３２】
ロッカーに用いる以外にも、例えば、倉庫などの暗闇のなかで錠前20の場所がよく見えない場合であっても、錠前20の可視光LED23が光ることにより、錠前20の場所をすぐに見つけることができるという利点がある。
【００３３】
(e) 一つの錠前20に対して鍵10が複数ある場合
複数の鍵10a，10b，10c・・・がある場合、錠前20は複数の固有のIDコードa，b，c・・・を有しており、かつそれぞれのIDコードa，b，c・・・に対応した解錠コードa，b，c・・・を有している。また初期状態の鍵10a，10b，10c・・・には、錠前20への施錠等により、錠前20に対応した固有のIDコードa，b，c・・・及び解錠コードa，b，c・・・がそれぞれ書き込まれている。
【００３４】
具体的な施錠／解錠方法を図６を用いて説明する。鍵10aを用いて錠前20を施錠する場合、鍵10aの及び解錠コードa及びIDコードaが錠前20に送信され、錠前20に書き込まれている解錠コードa及びIDコードaに一致したとき、新たな解錠コード解錠コードa’が作成され、マイコン21内に記憶され、かつ鍵10aに送信されたのち施錠させる。同様に、鍵10bを用いて錠前20を施錠する場合、鍵10bから送信された解錠コードb及びIDコードbと、錠前20に書き込まれている解錠コードb及びIDコードbとが一致したとき、新たな解錠コード解錠コードb’が作成され、マイコン21内に記憶され、かつ鍵10bに送信されたのち施錠させる。このように錠前20のマイコン21の中に各鍵10ごとの解錠コードを記憶させておくことにより、施錠／解錠の際に各鍵10のIDコードに対応した解錠コードごとに書き換えができるため、一つの錠前20に対して複数の鍵10を使用することができる。
【００３５】
上述した施錠／解錠方法は、施錠時のみ解錠コードの書き換えを行っているが、本発明の施錠装置はこれに限らず、解錠時に解錠コードの書き換えを行っても良く、施錠時及び解錠時のいずれにおいても解錠コードの書き換えを行っても良い。解錠時にも解錠コードの書き換えを行うことにより、外出時に鍵が複製された場合であっても、一度帰宅すれば解錠コードが変わり、複製された鍵で錠前が解錠されない。
【００３６】
(e) 鍵10及び錠前20がそれぞれ複数ある場合
本発明の錠前装置は、図７に示すように、複数の錠前20a，20b・・・に対して複数の鍵10a，10b・・・で施錠・解鍵を行うこともできる。錠前20a，20b・・・はそれぞれ固有のIDコードA，B・・・を有しており、鍵10a，10b・・・はそれぞれ固有のIDコードa，b・・・を有している。錠前20aには初期状態において鍵10a，10b・・・のIDコードa，b・・・と、それらに対応する解錠コードAa，Ab・・・が記憶されており、錠前20b・・・には鍵10a，10b・・・のIDコードa，b・・・と、それらに対応する解錠コードBa，Bb・・・が記憶されており、その他の錠前にも同様に鍵のIDコード及び解錠コードが記憶されている。また鍵10aには初期状態において錠前20a，20b・・・のIDコードA，B・・・と、それらに対応する解錠コードAa，Ba・・・が記憶されており、鍵10bには錠前20a，20b・・・のIDコードA，B・・・と、それらに対応する解錠コードAb，Bb・・・が記憶されており、その他の鍵にも同様に錠前のIDコード及び解錠コードが記憶されている。鍵10a，10b・・・の構造は上述した鍵10と同じであり、錠前20a，20b・・・の構造は上述した錠前20と同じである。
【００３７】
解錠処理の一例として、鍵10aで錠前20aを解錠する処理を示すフローチャートを図８に示す。まず鍵10aに取り付けられたプッシュボタン15を押し、マイコン11の記憶手段11aに書き込まれているIDコードaを第一の送信手段13から送信する（工程A，B）。送信されたIDコードaが錠前20aの第二の受信手段22により受信されると、錠前20aに記憶されている鍵10のIDコードのいずれかと一致するか否かを判断する（工程C）。IDコードが一致した（錠前20aに鍵10aのIDコードaが記憶されていた）場合、可視光LED23を点滅させて錠前20aが解錠の対象になっていることを示す（工程D）。IDコードのいずれも一致していなかった場合、可視光LED23は点滅しない。錠前20aの凹状受信部25に鍵10aの凸状送信部14を挿入する。これにより光センサ12と可視光LED23とが近接し、かつ第一の送信手段13のアンテナ13aと第二の受信手段22のアンテナ22aとが近接し、双方向通信が可能になる（工程E）。双方向通信を確立した後、錠前20aのIDコードAを可視光LED23の点滅による光通信により送信し、鍵10aに登録済みの錠前20aのIDコードと一致するか否かを判断する（工程F）。錠前20aのIDコードAとの一致が認められた場合、鍵10aから錠前20aのIDコードAに対応する解錠コードAaが送信される（工程G）。鍵10aから送信された解錠コードAaと、錠前20aに記憶されているIDコードaに対応する解錠コードとが一致している場合（錠前20aに解錠コードAaが記憶されている場合）、錠前20aは解錠される（工程H，I）。
【００３８】
図９は、施錠処理の一例を示すフローチャートである。まず鍵10aの凸状送信部14を錠前20aの凹状受信部25に挿入し、鍵10aに取り付けられたプッシュボタン15を押し、錠前20aに鍵10aのIDコードaを送信する（工程A）。この状態で鍵10aと錠前20aが近接しているので双方向通信が可能になる。鍵10aのIDコードaを錠前20aに書き込まれているIDコードと照合し、かつ錠前20aのIDコードAを送信して鍵10aに書き込まれているIDコードと照合する（工程B）。IDコードA，aがそれぞれ一致したら、鍵10aはIDコードAに対応する解錠コードAaを錠前20aに送信する（工程C，D）。解錠コードAaが一致している場合、マイコン21は新たな解錠コードAa’が作成され、マイコン21内の記憶手段21aに書き込まれるとともに鍵10aに送信され、鍵10aの記憶手段11aに書き込まれる（工程E，F，G）。記憶手段11aへの書き込みが確認された後、錠前20aは施錠される（工程H，I）。
【００３９】
複数の鍵10及び錠前20にそれぞれ固有のIDコードを設けた錠前装置の一使用例を以下に示す。様々な製造現場で用いられる部品、薬品等を錠前20が取り付けられたケースにそれぞれ収納し、ある製品の製造に必要な部品、薬品等が収納されたケース（通常は複数）の錠前20のみに鍵10aのIDコードaを記憶させ、鍵10aにはそれらの錠前20の固有のIDコードを記憶させる。それにより、鍵10aからIDコードaを送信すると、必要の部品、薬品等が収納されたケースの錠前20の可視光LED23のみが点滅し、必要の部品、薬品等を速やかに見つけられる上に、選択ミスや取りこぼしを防止できる。同様に、別の製品の製造に必要な部品、薬品等が収納されたケースの錠前20に鍵10b，10c・・・のIDコードb，c・・・をそれぞれ記憶させることで、種々の製品に対応することができる。
【００４０】
上述した例では、各鍵10及び錠前20は解錠コードと固有のIDコードを有しているが、本発明はこれに限らず、解錠コードの中に各鍵10及び錠前20のIDコードに対応するコード部分を設けても良い。
【００４１】
[3] 別の実施例
図10は本発明の別の一実施例による施錠装置を示す。図１の施錠装置と共通する部位には同じ符号が付してある。鍵100は、プッシュボタン15がなく、凸状送信部14と第一の受信手段12との間に近接スイッチ17が設けられている点を除いて、図１の鍵10と共通している。錠前200は凹状受信部25と第二の送信手段23との間に磁石27が設けられている点を除いて、図１の錠前20と共通している。
【００４２】
図10に示す施錠装置では、鍵10の凸状送信部14を錠前20の凹状受信部25に挿入することにより、近接スイッチ17が磁石27に近接し、近接スイッチ17が磁石27を感知することにより、鍵10のマイコン11が解錠コードを送信する。これにより、プッシュボタンを用いることなく、鍵10の凸状送信部14を錠前20の凹状受信部25に挿入するだけで、解錠コードの送受信及び施錠／解錠動作を行うことができる。
【００４３】
図11は本発明のさらに別の実施例による施錠装置の錠前201を示す。図１の錠前20と共通する部位には同じ符号が付してある。錠前201は、凹状受信部250，251が対向する面にそれぞれ設けられている点を除いて、図１の錠前20と共通している。図11は錠前201をドアに使用した場合を示しており、凹状受信部250は屋外に面しており、凹状受信部251は屋内に面している。
【００４４】
ドアの屋内と屋外の両方の面に凹状受信部を設けることにより、ドアの屋内から施錠する際にも鍵10と錠前20との双方向通信が可能になる。それにより、ドアを屋内から施錠しつつ解錠コードの書き換えを行うことができ、外出しているときに鍵10が複製されていたとしても、錠前20が解錠されることはない。
【図面の簡単な説明】
【００４５】
【図１】本発明の一実施例である施錠装置を示し、(a) は鍵を示す模式図であり、(b) は錠前を示す模式図である。
【図２】本発明の施錠装置をドアに使用する場合を示す図である。
【図３】解錠方法を示すフローチャートである。
【図４】施錠方法を示すフローチャートである。
【図５】本発明の施錠装置をロッカーとして使用する場合を示す図である。
【図６】本発明の施錠装置の使用方法の一例を示す図である。
【図７】本発明の施錠装置の使用方法の別の例を示す図である。
【図８】解錠方法を示すフローチャートである。
【図９】施錠方法を示すフローチャートである。
【図１０】本発明の別の実施例である施錠装置を示し、(a) は鍵を示す模式図であり、(b) は錠前を示す模式図である。
【図１１】本発明のさらに別の実施例である施錠装置の錠前を示す模式図である。
【符号の説明】
【００４６】
10，10a，10b，100・・・鍵
20，20a，20b，200，201・・・錠前
11・・・マイコン
11a・・・記憶手段
12・・・第一の受信手段
13・・・第一の送信手段
13a・・・送信用アンテナ
14・・・凸状送信部
15・・・プッシュボタン
16・・・切りかき
17・・・近接スイッチ
21・・・マイコン
21a・・・記憶手段
22・・・第二の受信手段
22a・・・受信用アンテナ
23・・・第二の送信手段
24・・・施錠／解錠機構
25，250，251・・・凹状受信部
26・・・ソレノイド
27・・・磁石
30・・・ドアノブ
【図１】
2008025329.tif 000003
【図２】
2008025329.tif 000004
【図３】
2008025329.tif 000005
【図４】
2008025329.tif 000006
【図５】
2008025329.tif 000007
【図６】
2008025329.tif 000008
【図７】
2008025329.tif 000009
【図８】
2008025329.tif 000010
【図９】
2008025329.tif 000011
【図１０】
2008025329.tif 000012
【図１１】
2008025329.tif 000013